【事件の表示】
　特許第３１２４２４５号「顕微鏡観察用加温装置」の請求項１ないし４に係る特許に対する特許異議の申立てについて、次のとおり決定する。
【結　論】
　訂正を認める。
　特許第３１２４２４５号の請求項１ないし３に係る特許を維持する。
【理　由】
１．手続の経緯
　本件特許第３１２４２４５号の発明は、平成９年２月２８日に特許出願され、平成１２年１０月２７日にその特許の設定登録がなされたものであり、その後、株式会社北里サプライより特許異議の申立がなされ、取消理由通知がなされ、その指定期間内である平成１３年１１月３０日に訂正請求がなされたものである。　
２．訂正の適否についての判断
（１）［訂正の内容］
　訂正請求書による訂正事項は次のとおりである。
訂正事項ａ：
　特許請求の範囲の請求項1を、
「互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されていることを特徴とする顕微鏡観察用加温装置。」と訂正する。
訂正事項ｂ：
　特許請求の範囲の請求項２を、
「請求項１記載の顕微鏡観察用加温装置において、外枠の切欠きは一方の透明加温プレートの加温面側にのみ形成され、外枠のうち切欠きが形成されていない側の端面は他方の透明加温プレートの加温面と同一面上に位置することを特徴とする顕微鏡観察用加温装置。」と訂正する。
訂正事項ｃ：
　特許請求の範囲の請求項３を削除する。
訂正事項ｄ：
　特許請求の範囲の請求項４を請求項３とし、「請求項１乃至３のいずれか記載の」を「請求項１又は２記載の」と訂正する。
訂正事項ｅ：
　段落【００１６】を
「【課題を解決するための手段】
　請求項１の発明は、互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されていることを特徴とする顕微鏡観察用加温装置である。
　請求項２の発明は、請求項１記載の顕微鏡観察用加温装置において、外枠の切欠きは一方の透明加温プレートの加温面側にのみ形成され、外枠のうち切欠きが形成されていない側の端面は他方の透明加温プレートの加温面と同一面上に位置することを特徴とする顕微鏡観察用加温装置である。」と訂正する。
訂正事項ｆ：
　段落【００１７】を「請求項３の発明は、請求項１又は２記載の顕微鏡観察用加温装置において、温度測定用センサーは、導電膜と前記温度測定用センサーとの間に介在する絶縁性を有し表裏両面が接着面である両面テープによって、前記導電膜に接着されていることを特徴とする顕微鏡観察用加温装置である。」と訂正する。
訂正事項ｇ：
　段落【００３８】を「別の実施の形態は、互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されており、温度測定用センサーは、導電膜と前記温度測定用センサーとの間に介在する絶縁性を有し表裏両面が接着面である両面テープによって、前記導電膜に接着されていることを特徴とする顕微鏡観察用加温装置である。」と訂正する。
（２）［訂正の範囲の適否、拡張・変更の存否］ 
　上記訂正事項ａ、ｂにおいて「透明プレート」を「透明加温プレート」と訂正するのは明瞭でない記載の釈明に相当するものである。この限定は、特許明細書段落【００３２】から【００３５】の記載に基づくものである。
　また、上記訂正事項ａの「前記外枠には窓の形成された平板状の天板が形成されており、前記天板には前記窓の対向した２つの側縁の中間部に」という訂正は、特許明細書の段落【００３３】に記載されている事項を限定するもので、特許請求の範囲の減縮に相当するものである。
　上記訂正事項ｃは、請求項３に記載された発明を削除するものであって、特許請求の範囲の減縮に相当するものである。
　上記訂正事項ｄは、上記訂正事項ｃに適合させて訂正しようとするものであって、明瞭でない記載の釈明に相当するものである。
　上記訂正事項ｅは、上記訂正事項ａに適合させて訂正しようとするものであって、明瞭でない記載の釈明に相当するものである。
　上記訂正事項ｆは、上記訂正事項ｄに適合させて訂正しようとするものであって、明瞭でない記載の釈明に相当するものである。
　上記訂正事項ｇは、上記訂正事項ａ、ｃに適合させて訂正しようとするものであって、明瞭でない記載の釈明に相当するものである。
　したがって、本件訂正事項ａ〜ｇは特許明細書に記載した事項の範囲内においてするものであり、新規事項の追加に該当しない。
　また、本件訂正事項ａ〜ｇは、実質上特許請求の範囲を拡張・変更するものではない。
（３）［結び］
　以上のとおりであるから、上記訂正は、特許法第１２０条の４第２項及び同条第３項において準用する特許法１２６条第２項から第４項までの規定に適合するので、当該訂正を認める。
３．特許異議の申立について
（１）［申立の理由の概要］
　特許異議申立人株式会社北里サプライは、下記甲第１〜３号証を提出し、請求項１ないし４に係る発明の特許は、甲第１、２号証に記載された発明に基づいて当業者が容易に発明できたものであるから、特許法第２９条第２項の規定に違反してなされたものであり、請求項１、２、４に係る発明の特許は、甲第１、３号証記載された事項からみて、本件出願前に公然実施された発明であるから、特許法第２９条第１項第２号の規定に違反してなされたものであり、また、請求項３に係る発明の特許は、特許法１７条の２第３項の規定に違反してなされたものであるから取り消すべき旨主張している。
甲第１号証：顕微鏡ステージ自動温度制御システムのカタログ謄本
（１９９４年６月　株式会社東海ヒット）
甲第２号証：特開平８−２７９３９２号公報
甲第３号証：平成１１年（ワ）第１７７７５号　特許権侵害差止等請求事件における提出書類
（２）［本件発明］
　特許第３１２４２４５号の請求項１ないし３に係る発明（以下、それぞれ「本件発明１ないし３」という。）は、平成１３年１１月３０日付けの訂正明細書の特許請求の範囲の請求項１ないし３に記載された事項により特定される次のとおりのものである。
【請求項１】　
「互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されていることを特徴とする顕微鏡観察用加温装置。」
【請求項２】
「請求項１記載の顕微鏡観察用加温装置において、外枠の切欠きは一方の透明加温プレートの加温面側にのみ形成され、外枠のうち切欠きが形成されていない側の端面は他方の透明加温プレートの加温面と同一面上に位置することを特徴とする顕微鏡観察用加温装置。」
【請求項３】
「請求項１又は２記載の顕微鏡観察用加温装置において、温度測定用センサーは、導電膜と前記温度測定用センサーとの間に介在する絶縁性を有し表裏両面が接着面である両面テープによって、前記導電膜に接着されていることを特徴とする顕微鏡観察用加温装置。」
（３）［本件発明１について］
［当審が通知した取消しの理由に引用された刊行物］
　刊行物１（甲第２号証）には、
「具体的に説明すると、図１ないし図４に示すように、顕微鏡用透明加温プレート１は、ハウジング３と、このハウジング３に収納された透明プレート２と、コネクター２８と、アース端子２９により構成されている。透明プレート（透明プレート組立体）２は、図３に示すように、第１透明板５と第２透明板６と、透明板５、６の間に挿入されたスペーサ１５と、透明板５、６間に充填された絶縁性透明充填材１２と、透明板５、６間に挿入された温度センサー１４と、各接続線により形成されている。」（段落【００１７】）
「そして、この実施例では、第１透明板５および第２透明板６は、円形であり、第２透明板の第１透明板と向かい合う面（第２透明板の上面）のほぼ全面に透明導電膜（透明発熱体）７が設けられている。また、第１透明板５の底面（第２透明板と向かい合う面）にも透明導電膜８が形成されている。また、後述する図１０に示すように、第１透明板５の上面にも透明導電膜２３を形成してもよい。」（段落【００１８】）
「そして、温度センサー１４が、透明導電膜７と接触しないように透明板５、６間に位置し、かつその位置が容易に移動しないように、センサー１４は透明材料１２にそのまわりが取り囲まれている。つまり、センサー１４は、透明材料１２により固定されている。このようにすれば、温度センサーの移動がなく、かつセンサーが導電膜と接触していないため正確な温度測定が行える。温度センサー１４としては、温度検知可能なものであれば特に制限はないが、熱電対、サーミスタなどが好適である。」（段落【００４０】）
「なお、上記の説明では、本発明の透明加温プレートを顕微鏡用透明加温プレートに応用した実施例を用いて説明したが、これに限られるものではない。例えば、組織培養容器（例えば、シャーレー）の加温に用いることができる。組織培養容器を逐次観察しながら培養を行うことが必要な場合がある。このような場合、恒温器内に組織培養容器を収納して加温すると外部より確認ができない。しかし、本発明の透明加温プレートであれば、その上に載置して加温することができるので、加温と同時に観察を行うことができる。」（段落【００４４】）が記載され、
　刊行物２（甲第１号証）には、
正立顕微鏡のステージ上に設置されるサーモプレートであって、上部平面の一方の縁部に円弧状の切欠きを有する段差を備え、直径９０ｍｍまでのディッシュが設置可能である構成が記載されている。
［対比・判断］
　本件発明１と刊行物１記載の発明とを対比すると、顕微鏡観察用加温装置が、前者では「２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されている」という構成を有しているのに対し、後者では「顕微鏡用透明加温プレートは、ハウジングと、このハウジングに収納された第１透明板と第２透明板と、両透明板の各々の内側面上に透明導電膜（透明発熱体）が設けられている」という構成を有する点で相違する。
　ところで、本件発明１は、２枚の透明加温プレートを有していること、さらにシャーレが載置される面側の天板が平板状であるということから、該透明加温プレートの一面をシャーレが載置される面として利用すると共に、この面を下にしてステージ上に置くことができる構成が示されているものと認められるのに対して、刊行物１に記載された透明加温プレートの両面の透明板は、各々、透明発熱体からの発熱により加熱されるであろうことは容易に推測できるが、選択的に、その透明板の両面の内の一方の面上に観察対象物を載置するという構成を有してはいない。
　そして、この相違点について、前記刊行物１、２には記載も示唆もなされていない。
　しかも本件発明１は、前記構成を有することで、２つの載置面の選択的使用が可能となり、明細書記載の「切欠きが形成されている面を使用する場合には、シャーレの位置が安定し、反対側の面を使用する場合には、スライドガラス等が使用できる」といった顕著な効果を奏するものと認められる。
　してみると、本件発明１は、刊行物１、２に記載された発明に基づき当業者が容易に発明することができたものとは認められない。
　また、前記相違点に係る構成は、異議申立人の提出した他の証拠のいずれにも記載されていないから、本件発明１は、本件出願前に公然に実施された発明であるとも、また甲第１、２号証に記載された発明に基づき、当業者が容易に発明することができたとも認めることはできない。
　したがって、本件発明１は、特許法第２９条第１項第２号又は同法第２９条第２項のいずれの規定にも違反してなされたものではない。
（４）［本件発明２、３について］
　本件発明２、３は、本件発明１の構成要件を全て含み、さらに他の構成要件を付加したものに相当するから、本件発明１について説示したのと同様の理由により、本件発明２、３は、刊行物１、２に記載された発明に基づき当業者が容易に発明することができたものとは認められない。また、本件発明２、３は本件出願前に公然に実施された発明であるとも、また甲第１、２号証に記載された発明に基づき、当業者が容易に発明することができたとも認めることはできない。
　したがって、本件発明２、３は、特許法第２９条第１項第２号又は同法第２９条第２項のいずれの規定にも違反してなされたものではない。
（５）特許法第１７条の２第３項違反について
　訂正前の請求項３に対して、特許異議申立人が特許異議申立書中で、本件発明の願書に最初に添付した明細書および図面に記載された第３の実施の形態においては、「フランジ」、「弾性の隙間埋め材」を備える点は開示されていないから特許法第１７条の２第３項に違反する旨の主張がなされ、当審においても同趣旨の取消理由通知がなされたが、上記２（２）において検討したとおり、適法に訂正されたから、取消理由は解消した。
（６）［結び］
　以上のとおりであるから、特許異議申立ての理由および証拠によっては、本件の特許を取り消すことはできない。
　また、他に本件の特許を取り消すべき理由を発見しない。
　よって、結論のとおり決定する。
【異議決定日】
平成１３年１２月１９日（２００１．１２．１９）
【訂正の要旨】
　訂正の要旨
訂正事項ａ：
　特許請求の範囲の請求項１を、
「互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されていることを特徴とする顕微鏡観察用加温装置。」と訂正する。
訂正事項ｂ：
　特許請求の範囲の請求項２を、
「請求項１記載の顕微鏡観察用加温装置において、外枠の切欠きは一方の透明加温プレートの加温面側にのみ形成され、外枠のうち切欠きが形成されていない側の端面は他方の透明加温プレートの加温面と同一面上に位置することを特徴とする顕微鏡観察用加温装置。」と訂正する。
訂正事項ｃ：
　特許請求の範囲の請求項３を削除する。
訂正事項ｄ：
　特許請求の範囲の請求項４を請求項３とし、「請求項１乃至３のいずれか記載の」を「請求項１又は２記載の」と訂正する。
訂正事項ｅ：
　段落【００１６】を
「【課題を解決するための手段】
　請求項１の発明は、互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されていることを特徴とする顕微鏡観察用加温装置である。
　請求項２の発明は、請求項１記載の顕微鏡観察用加温装置において、外枠の切欠きは一方の透明加温プレートの加温面側にのみ形成され、外枠のうち切欠きが形成されていない側の端面は他方の透明加温プレートの加温面と同一面上に位置することを特徴とする顕微鏡観察用加温装置である。」と訂正する。
訂正事項ｆ：
　段落【００１７】を「請求項３の発明は、請求項１又は２記載の顕微鏡観察用加温装置において、温度測定用センサーは、導電膜と前記温度測定用センサーとの間に介在する絶縁性を有し表裏両面が接着面である両面テープによって、前記導電膜に接着されていることを特徴とする顕微鏡観察用加温装置である。」と訂正する。
訂正事項ｇ：
　段落【００３８】を「別の実施の形態は、互いに重ねられた２枚の透明加温プレートと、前記２枚の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周部が嵌る形状の切欠きが形成されており、温度測定用センサーは、導電膜と前記温度測定用センサーとの間に介在する絶縁性を有し表裏両面が接着面である両面テープによって、前記導電膜に接着されていることを特徴とする顕微鏡観察用加温装置である。」と訂正する。
（５４）【発明の名称】
顕微鏡観察用加温装置
（５７）【特許請求の範囲】
　【請求項１】
　互いに重ねられた２枚の透明
加温
加温
加温
窓の形成された平板状の天板が形成されており、前記天板には前記窓の対向した２つの側縁の中間部に
加温
　【請求項２】
　請求項１記載の顕微鏡観察用加温装置において、外枠の切欠きは一方の透明
加温
加温
　【請求項３】
　
請求項１又は２
【発明の詳細な説明】
　【０００１】
　【発明の属する技術分野】
　本発明は、顕微鏡観察用加温装置に係り、特に、検体を所望の温度にまで加温し、その温度を維持することができる顕微鏡観察用加温装置に関するものである。
　【０００２】
　【従来の技術】
　従来から様々な研究分野で正立顕微鏡、倒立顕微鏡、実体顕微鏡等の各種の光学顕微鏡が使用されており、この中でも正立顕微鏡と倒立顕微鏡が一般的である。
　これらの顕微鏡を使用しての遺伝子工学やバイオテクノロジー等の研究分野では検体の温度管理が重要であり、例えば、培養細胞や精子などの検体では３７度から３８度位の生体温度下において観察する必要がある。このため検体を所定温度にまで加温し維持するための様々な顕微鏡観察用加温装置が従来から提案されている。
　【０００３】
　図１０及び図１１に従って従来から提案されている顕微鏡観察用加温装置について説明する。
　図１０は倒立顕微鏡用加温装置１２１を顕微鏡のステージに装着した状態を示す。
　符号１２５は円板状の加温プレートを示し、２枚の加温プレート１２５が導電膜１２７を挟んで重ね合わされている。この導電膜１２７には図示しない電極が取り付けられており、この電極からは図示しないリード線が延び、このリード線は加温状態を制御するコントローラに接続されている。
　符号１２９は樹脂製の外枠を示し、この外枠１２９は薄い皿状をしていて、その内側に重ね合わされた２枚の加温プレート１２５が収納されて固定されている。外枠１２９の底板１３１の中央部には孔１３３が形成されている。また外枠１２９の外周部にはフランジ１３５が形成されている。
　符号１２３は顕微鏡のステージを示し、このステージ１２３の中央部には段差面１３７を有した透光孔１３９が形成されている。倒立顕微鏡用加温装置１２１は、そのフランジ１３５が段差面１３７に載る向きで透光孔１３９に嵌めることで顕微鏡に装着される。
　【０００４】
　図１１は正立顕微鏡用加温装置１４１を顕微鏡のステージ１２３上に載せた状態を示す。
　この正立顕微鏡用加温装置１４１も導電膜１２７を挟んで重ねられた２枚の加温プレート１２５が樹脂製の外枠１４３の内部に収納されることで構成されている。
　この正立顕微鏡用加温装置１４１は、顕微鏡のステージ１２３の上面に載置される。
　【０００５】
　上記２つの顕微鏡加温装置１２１、１４１は、導電膜１２７に通電することによりそれを発熱させて加温プレート１２５を加温し、この加温プレート１２５の上面に載せられるスライドガラス５９等を加温して検体を所望の温度にまで加温し、その温度を維持する。
　【０００６】
　【発明が解決しようとする課題】
　ところで、顕微鏡での観察においては、検体と対物レンズとの距離が非常に重用である。これは、検体が載っているステージを移動させて検体と対物レンズとの距離を調節することにより対物レンズの焦点を合わせるからである。特に、倒立顕微鏡においては、検体と対物レンズとの間に厚いものが介在すると対物レンズの焦点を合わせることができなくなってしまう場合がある。
　【０００７】
　この点、従来の倒立顕微鏡用加温装置１２１ではスライドガラス５９等に載せられた検体と対物レンズ１１との間に２枚の加温プレート１２５が介在してしまうため、倍率の大きな対物レンズを使用する場合は焦点を正確に合わせることができないことが起こっていた。
　【０００８】
　また、遺伝子工学等の研究分野では顕微鏡で観察しながら検体の処理を行う顕微操作が頻繁に行われている。この顕微操作は極めて繊細な作業であるため、検体の僅かな振れによっても顕微操作に重大な支障を及ぼすことになる。
　【０００９】
　この点、ステージの透光孔に嵌めて使用するタイプの顕微鏡観察用加温装置は、一見、振れが生じないように思えるが、透光孔への着脱をスムーズに行うことができるようにするためには、どうしてもステージと外枠との間に多少の隙間が必要である。このため、このタイプの顕微鏡観察用加温装置においても振れがゼロであることはなかった。
　また顕微鏡のステージ上に載せるタイプの顕微鏡観察用加温装置においても、検体をシャーレ等に入れて顕微操作を行う場合には加温プレート上でシャーレが動いてしまう場合があり、顕微操作の重大な問題の一つとなっていた。
　【００１０】
　その上、従来の顕微鏡用加温装置１２１、１４１には、スライドガラス５９等の取り扱いに関しても問題を有している。即ち、倒立顕微鏡用加温装置１２１、正立顕微鏡用加温装置１４１のどちらにおいても、スライドガラス５９等を載置する加温プレート１２５の上面よりも外枠１２９、１４３の上面の方が高くなっていたために、ここが段差になっている。このため、スライドガラス５９をステージ１２３の端部まで滑らせて交換することができないので、数ミリメートル程度の厚さしかないスライドガラス５９を取り上げるには、どうしてもピンセット等を使用しなければならず、非常に面倒であった。
　【００１１】
　更に、観察を行う前までカバーガラス６１を加温プレート１２５上に載せて加温する場合があるが、このカバーガラス６１はスライドガラス５９よりもなお一層薄いため、ピンセット等を使用してもカバーガラス６１を持ち上げる作業は非常に困難である。
　【００１２】
　本発明は上記従来の問題点に着目してなされたものであり、倍率の大きな対物レンズを使用する場合でも焦点合わせが可能であり、また検体の振れを防止して安定した観察を行うことができ、しかもスライドガラス等の取替え等が容易な顕微鏡観察用加温装置を提供することを目的とする。
　【００１３】
　【００１４】
　【００１５】
　【００１６】
　【課題を解決するための手段】
　請求項１の発明は、互いに重ねられた２枚の透明
加温
加温
加温
窓の形成された平板状の天板が形成されており、前記天板には前記窓の対向した２つの側縁の中間部に
加温
　請求項２の発明は、請求項１記載の顕微鏡観察用加温装置において、外枠の切欠きは一方の透明
加温
加温
　【００１７】
　請求項
３
請求項１又は２
　【００１８】
　【００１９】
　【発明の実施の形態】
　本発明の実施の形態に係る顕微鏡観察用加温装置を図面にしたがって説明する。
　図１から図４は第一の実施の形態に係る顕微鏡観察用加温装置１を示すものである。
　顕微鏡観察用加温装置１を説明する前に、この顕微鏡観察用加温装置１を装着することができる顕微鏡の一例を簡単に説明する（図１参照）。
　この顕微鏡３は倒立型のものであって、鏡脚５の後端部から立ち上がったアーム７に昇降調整可能となるように支持されたステージ９と、ステージ９の下に選択自在に配置された複数の対物レンズ１１と、鏡脚５の前端部から立ち上がった鏡筒１３に保持された接眼レンズ１５と、ステージ９の上方にあってアーム７に支持された光源ランプ１７等から構成されている。
　【００２０】
　符号１９はステージ９の中央部に形成された円形の透光孔を示す。この透光孔１９の上端部２１の径はそれより下の部分２３の径より大きくなっており、従って、透光孔１９の内周面には円帯状をした段差面２７が形成されている。
　符号２９はコントローラを示し、このコントローラ２９は顕微鏡観察用加温装置１の動作を制御するためのものである。
　【００２１】
　顕微鏡観察用加温装置１は、外枠３１と、加温プレート３３と、保護シート３５、補強プレート３７及び等から成る。
　外枠３１は円形の浅い皿状をしている。即ち、外枠３１は円板形の底板３９と、底板３９の外周沿いに延びる背の低い周壁４１と、周壁４１の上端部全周から外側へ張り出して円帯状に延びるフランジ４３とが断熱性の高い材料によって一体に形成されて成る。底板３９には略トラック形をした大きな孔４５が形成され、また、底板３９の周壁４１寄りの位置にリード線通し孔４７が形成されている。
　周壁４１の外周径は顕微鏡３の透光孔１９の段差面２７から下の部分２３の径より僅かに小さく、フランジ４３の外周径は透光孔１９の上端部２１の径より僅かに小さくなっており、フランジ４３の厚みは透光孔１９の上端部２１の深さと一致している。
　【００２２】
　加温プレート３３は、厚さ略０．４ミリメートルの透明な板ガラスにより、円板形を為すように形成され、その直径は外枠３１の周壁４１の内径と略同じになっている。
　そして、加温プレート３３の下面の全域には透明な導電膜４９（図２参照。尚、図面では導電膜４９の厚みを誇張して示してある。）が設けられている。この導電膜４９は真空蒸着法等により形成されている。符号５１は導電膜４９に通電するための一対のリード線を示し、このリード線５１は一端部が導電膜４９の周縁部のうち互いに反対側に位置した部分に接続されており、その接続は導電性を有する接着剤によって行われている。
　符号３８は熱電対からなる温度測定用センサーを示す。この温度測定用センサー３８は、絶縁性を有し表裏両面が接着面である両面テープ４０によって導電膜４９に接着されている（図３及び４参照。）。この両面テープ４０によって絶縁部材が構成されている。温度測定用センサー３８はリード線４２によってコントローラ２９に接続されている。
　【００２３】
　保護シート３５は厚さ略０．１ミリメートルのシート状をしており、加温プレート３３より稍小さい正方形状に形成され、加温プレート３３の下面の中央部に接着されている。従って、加温プレート３３に設けられている導電膜４９は保護シート３５が接着された領域においてはこの保護シート３５によって覆われる。
　補強プレート３７は、加温プレート３３と略同じ大きさ及び厚さを有した透明な平板ガラスにより形成され、その中央部には保護シート３５より一回り小さい矩形をしたレンズ挿入孔５３が形成され、外周縁寄りの位置にリード線通し孔５５が形成されている。この補強プレート３７は、保護シート３５及び温度測定用センサー３８を挟んで加温プレート３３の下面に接着される。これにより、加温プレート３３と保護シート３５が補強されると共に、導電膜４９はその全域が外部に対して電気的に絶縁され、且つ、酸化を防止される。
　尚、リード線４２、５１はリード線通し孔５５を通して下に導出する。
　【００２４】
　このように重ね合わされた加温プレート３３と保護シート３５及び補強プレート３７は外枠３１内に嵌め込まれ且つ接着される。このとき、リード線４２、５１はリード線通し孔４７を通して下に導出する。これにより、加温プレート３３と保護シート３５と補強プレート３７及び外枠３１とが、全て一体的に結合され、加温プレート３３の上面５７と外枠３１のフランジ４３の上面は互いに同一面上に位置する。
　尚、リード線４２、５１の底板３９から先の部分は外皮に覆われて図示しないコネクタにそれぞれ接続されており、そのコネクタはそれぞれ前記コントローラ２９の所定のジャックに着脱自在に結合される。
　顕微鏡観察用加温装置１は以上のように構成されている。従って、この顕微鏡観察用加温装置１の中央部の肉厚、即ち、補強プレート３７のレンズ挿入孔５３と対応した位置における肉厚は、加温プレート３３の厚みに保護シート３５の厚みを加えた略０．５ミリメートルになっている。
　【００２５】
　次に、顕微鏡観察用加温装置１の使用方法を説明する。
　顕微鏡観察用加温装置１は、顕微鏡３のステージ９の透光孔１９に装着して使用する。この装着は、ステージ９を適度に上げた状態で、図２に示すように、加温プレート３３の上面５７が上を向く向きで透光孔１９に嵌めることで行う。顕微鏡観察用加温装置１をこのような向きで嵌めると、外枠３１のフランジ４３が透光孔１９の段差面２７上に着座すると共に、加温プレート３３及びフランジ４３の上面がステージ９の上面１０と同一面上に位置し、レンズ挿入孔５３は使用位置に来ている対物レンズ１１の光軸上に位置する。
　尚、リード線４２、５１は、顕微鏡観察用加温装置１を透光孔１９に収める前に透光孔１９を通しておき、図示しないコネクタをコントローラ２９に接続する。
　【００２６】
　顕微鏡観察用加温装置１を透光孔１９に収めた後、コントローラ２９を操作して導電膜４９に通電する。すると、導電膜４９が発熱し、その熱によって加温プレート３３等が加温される。従って、目的の検体を乗せたスライドガラス５９を加温プレート３３の上面に置くと、そのスライドガラス５９も加温される。検体をスライドガラス５９に乗せるタイミングはスライドガラス５９が所望の温度に加温された後とするのが良い。加温プレート３３の温度は温度測定用センサー３８により測定されてコントローラ２９の表示部に表示されるので、その表示を見てコントローラ２９の温度調節部材を操作して加温の程度を調節する。
　カバーガラス６１を使用するときは、それを事前に加温プレート３３の上面の端辺りに乗せておけば、カバーガラス６１を予熱することができる。
　【００２７】
　観察をするときは、ステージ９を微細に移動して焦点を合わせる。このとき、加温プレート３３の下にはレンズ挿入孔５３が設けられているので、対物レンズ１１がレンズ挿入孔５３に入る位置までステージ９を下げれば、当該対物レンズ１１とスライドガラス５９との間の距離を最小０．５ミリメートル程度まで縮めることができる。従って、倍率の大きい対物レンズを使用する場合でも、スライドガラス５９上の検体に対する焦点合わせは充分可能である。
　【００２８】
　スライドガラス５９を交換したり、加温中のカバーガラス６１を取り上げるときは、それを加温プレート３３上で滑らせると良い。即ち、前記したように、加温プレートの上面５７及び外枠のフランジ４３の上面はステージ９の上面１０と同一面上に位置していて段差が無いので、加温プレート３３上にあるスライドガラス５９やカバーガラス６１をそのまま滑らせてステージ９の端に持ってくることができる。従って、スライドガラス５９の交換やカバーガラス６１の取り上げにピンセット等を使用しなくて済む。
　【００２９】
　図５及び図６は本発明の第二の実施の形態に係る顕微鏡観察用加温装置７１を示すものである。この顕微鏡観察用加温装置７１が前記した顕微鏡観察用加温装置１と相違するところは、主として、外枠に隙間埋め部材を設けた点だけである。従って、図面には要部のみを示してあり、また、説明は上記相違点のみについて行い、それ以外の部分については、前記顕微鏡観察用加温装置１について使用した符号と同じ符号を図面に付することで説明を省略する。このような符号の使い方とその意味は、後述する第三の実施の形態においても同様とする。
　【００３０】
　この顕微鏡観察用加温装置７１においては、外枠３１のフランジ４３の外周面７３の径を、顕微鏡のステージ９に設けられている透光孔１９の上端部２１の内径よりある程度小さくしてある。
　符号７５はフランジ４３の外周面７３に形成された溝を示し、この溝７５は外周面７３のうち互いに反対側の２つの位置に設けられ、周方向へある程度の長さを有している。
　符号７７は隙間埋め部材を示す。この隙間埋め部材７７は溝７５と略同じ長さを有し、細幅な帯状に延びる取付部７９と、取付部７９の一側端に沿って延びる密着部８１とがシリコンゴムにより一体に形成されて成り、密着部８１の横断面はこれが変形されていない状態においては縦長の略楕円形をしている。そして、この隙間埋め部材７７は、その取付部７９が溝７５に圧入され且つ接着されることで外枠３１に固定され、密着部８１はフランジ４３の外周面７３より外側に突出する。隙間埋め部材７７が外枠３１に取り付けられた状態において、その密着部８１の外周の径は透光孔１９の上端部２１の内径より多少大きい。
　【００３１】
　この顕微鏡観察用加温装置７１を透光孔１９に収めるときは、隙間埋め部材７７の密着部８１を透光孔１９に軽く押し込むようにする。従って、外枠３１が密着部８１を挟んで透光孔１９の内周面２５に密着するので、顕微鏡観察用加温装置７１がステージ９に対してガタつくこと無く安定に装着される。
　尚、この顕微鏡観察用加温装置７１を外すときは、隙間埋め部材７７の無い位置にピンセットの先等を差し入れて起こすようにする。
　【００３２】
　図７から図９は本発明の第三の実施の形態に係る顕微鏡観察用加温装置９１を示すものである。この顕微鏡観察用加温装置９１は、正立顕微鏡のステージ９３上に乗せて使用するタイプのものである。
　【００３３】
　符号９５は顕微鏡観察用加温装置９１の外枠を示す。この外枠９５は長方形の平板状をした天板９７と、天板９７の外周に沿って延びた背の低い周壁９９とが断熱性の良い材料により一体に形成されて成り、天板９７には長方形の大きな窓１０１が形成されている。そして、窓１０１の幅方向で対向した２つの側縁の中間部には円弧状をした切欠き１０３が形成されている。
　【００３４】
　符号１０５及び１０７はそれぞれ加温プレートを示す。これら加温プレート１０５及び１０７は透明な板ガラスにより長方形の板状を為すように形成され、一方の加温プレート１０５の一面の全域には透明な導電膜４９が設けられ、この導電膜４９には図示しないリード線が接続されている。そして、導電膜４９には図示しない温度測定用センサーが両面テープにより接着されている。
　これら２枚の加温プレート１０５と１０７は導電膜４９を挟むようにして互いに貼り合わせられると共に、外枠９５内に嵌め込まれ且つ接着される。従って、天板９７側の加温プレート１０５の天板９７側の表面である第一の加温面１０９は窓１０１において露出し、別の加温プレート１０７の反天板側の面である第二の加温面１１１はその全体が露出する。そして、周壁９９の高さはその端面１１３が第二の加温面１１１と同一面上に位置する寸法になっている。
　【００３５】
　このような顕微鏡観察用加温装置９１は、例えば、次のように使用する。
　検体をシャーレ１１５に入れて観察する場合は、図８に示すように、顕微鏡観察用加温装置９１を第一の加温面１０９が上を向く向きでステージ９３に置き、シャーレ１１５をその底部が２つの切欠き１０３に収まるように第一の加温面１０９に載せる。従って、シャーレ１１５は加温された加温プレート１０５の熱によって加温されると共に、切欠き１０３に収まることで位置が安定する。
　また、検体をスライドガラス５９に乗せて観察する場合は、図９に示すように、顕微鏡観察用加温装置９１を第二の加温面１１１が上を向く向きでステージ９３に置き、第二の加温面１１１にスライドガラス５９を載せる。従って、スライドガラス５９は加温された加温プレート１０７の熱によって加温される。そして、スライドガラス５９を交換したり、第二の加温面１１１上で加温中のカバーガラス６１を取り上げるときは、それを第二の加温面１１１の端まで滑らせてやると良い。
　【００３６】
　以上、本発明の実施の形態について詳述してきたが、具体的な構成はこの実施の形態に限られるものではなく、本発明の要旨を逸脱しない範囲における設計の変更などがあっても本発明に含まれる。
　例えば、上記第一及び第二の実施の形態における顕微鏡観察用加温装置の各部材の形状は一例を示したに過ぎず、使用する顕微鏡のステージの透光孔の形状に対応したものとする。
　また、上記第一及び第二の実施の形態では顕微鏡観察用加温装置の上面と顕微鏡におけるステージの上面とを同一面上に位置する構成としたが、外枠の上面と加温プレートの加温面が同一面上に位置し、且つこの面が顕微鏡のステージの上面よりも上に位置する限り、外枠及び加温プレートの上面とステージの上面とが異なる面上に位置する構成としても良い。
　また、第一の実施の形態において、保護シート３５の厚さを０．１ミリメートルとしているが、保護シート３５の厚さは、これに限定されず、適宜変更することが可能である。但し、保護シート３５の厚さはなるべく薄いのが望ましく、例えば加温プレート３３の厚さの４分１以下に設定することが好ましい。
　【００３７】
　第二の実施の形態に係る顕微鏡観察用加温装置では、外枠の外周面の互いに反対側の２つの位置に溝を形成し、この溝に隙間埋め材を取り付ける構成としたが、隙間埋め材を１つ或いは３つ以上設ける構成としても良く、また、位置も互いに反対側の２つ位置に限られない。第三の実施の形態に係る顕微鏡観察用加温装置は正立顕微鏡に使用しているが、倒立顕微鏡及び実体顕微鏡に使用しても良い。また、上記実施の形態においては温度測定用センサーを導電膜の上から接着するようにしたが、温度測定用センサーを接着する位置には導電膜を形成せず、温度測定用センサーを加温プレート上に直接接着する構成としても良い。上記実施の形態においては、温度測定用センサーに熱電対を用いているが、サーミスタ或いは測温体を用いる構成としても良い。
　【００３８】
　
別の実施の形態は、互いに重ねられた２の透明加温プレートと、前記２の透明加温プレートのうち少なくとも一方の合せ面に形成された透明な導電膜と、前記導電膜に通電させる通電手段と、前記２枚の透明加温プレートを一体的に保持する外枠とを備え、前記外枠には窓の形成された平板状の天板が形成されており、前記天板には前記窓の対向した２つの側縁の中間部に前記透明加温プレートの加温面に載置されたシャーレの外周音が嵌る形状の切欠きが形成されており、
　【００３９】
　【００４０】
　【００４１】
　【発明の効果】
　切欠きが形成された発明によれば、外枠には透明プレートに載置されたシャーレの外周部が嵌る形状の切欠きが形成されているので、透明プレートに載置されたシャーレの位置を安定させて観察を行うことができる。
　【００４２】
　外枠の切欠きは一方の透明プレートの加温面側にのみ形成され、外枠のうち切欠きが形成されていない側の端面は他方の透明プレートの加温面と同一面上に位置する発明によれば、切欠きが形成されている面を使用する場合には、シャーレの位置が安定し、また、反対側の面を使用する場合にはスライドガラス等の交換を容易に行うことができ、シャーレとスライドガラスのどちらを使用する場合であっても便利である。
　【００４３】
　弾性の隙間埋め材が設けられた発明によれば、外枠の外周面に設けられた隙間埋め材がステージの透光孔の内周面にぴったりと密着するので、顕微鏡のステージに対してガタつくことなく安定に装着される。温度測定用センサーの接着用に絶縁性を有する両面テープを用いた発明によれば、温度測定用センサーは絶縁性を有する両面テープを介して透明プレートの合せ面に備えられており、この両面テープは熱伝導を阻害する要素としては殆ど機能しないので、透明プレートの温度を正確に測定することができ、検体の温度管理を的確に行うことができる。
【図面の簡単な説明】
　【図１】
　本発明の第一の実施の形態に係る顕微鏡観察用加温装置とこれを装着する倒立顕微鏡の全体斜視図である。
　【図２】
　第一の実施の形態に係る顕微鏡観察用加温装置を顕微鏡のステージに装着した状態を示す垂直断面図である。
　【図３】
　第一の実施の形態に係る顕微鏡観察用加温装置の温度測定用センサーを両面テープにより加温プレートに接着した状態を拡大して示す部分垂直断面図である。
　【図４】
　第一の実施の形態に係る顕微鏡観察用加温装置の分解斜視図である。
　【図５】
　第二の実施の形態に係る顕微鏡観察用加温装置の斜視図である。
　【図６】
　顕微鏡のステージと第二の実施の形態に係る顕微鏡観察用加温装置との装着状態を拡大して示す一部垂直断面図である。
　【図７】
　第三の実施の形態に係る顕微鏡観察用加温装置にシャーレを載せた状態を示す斜視図である。
　【図８】
　検体をシャーレに載せて使用する場合の第三の実施の形態に係る顕微鏡観察用加温装置の垂直断面図である。
　【図９】
　検体をスライドガラスに載せて使用する場合の第三の実施の形態に係る顕微鏡観察用加温装置の垂直断面図である。
　【図１０】
　倒立顕微鏡に従来の顕微鏡観察用加温装置を装着した状態を示す垂直断面図である。
　【図１１】
　正立顕微鏡に従来の顕微鏡観察用加温装置を装着した状態を示す垂直断面図である。
　【符号の説明】
　１　　　　（第一の実施の形態に係る）顕微鏡観察用加温装置
　３　　　　顕微鏡
　９　　　　ステージ
　１０　　　（ステージの）上面
　１９　　　透光孔
　３１　　　外枠
　３３　　　加温プレート
　３５　　　保護シート
　３７　　　補強プレート
　３８　　　温度測定用センサー
　４０　　　両面テープ
　４５　　　孔
　４９　　　導電膜
　５１　　　リード線
　５３　　　レンズ挿入孔
　５７　　　（加温プレートの）上面
　７１　　　（第二の実施の形態に係る）顕微鏡観察用加温装置
　７７　　　隙間埋め部材
　９１　　　（第三の実施の形態に係る）顕微鏡観察用加温装置
　９３　　　ステージ
　９５　　　外枠
　１０３　　切欠き
　１０５　　加温プレート
　１０７　　加温プレート
　１０９　　第一の加温面
　１１１　　第二の加温面